(57)【要約】【課題】  衝撃による誤記録を防止するとともに、記録データの連続性を確保する。【解決手段】  データ入力部より入力されたデータを記録部３１，３２において記録録手段を用いて筐体の内部に装着されたディスク記録媒体に記録するにあたり、前記筐体が受けた衝撃を検出する衝撃検出部３３の検出結果により所定値以上の衝撃が検出された場合には、記録制御手段２８により、前記記録部３１，３２を制御して、前記ディスク記録媒体へのデータの記録を中止させるとともに、記録が中止された当該データの記録開始時に対応する位置へ前記記録手段を移動させるように制御する。【選択図】        図６
2006345544.tif 000002
【特許請求の範囲】
【請求項１】
ディスク記録媒体にデータを記録するデータ記録装置において、
データが入力されるデータ入力部と、
前記データ入力部より入力されたデータを、記録手段を用いて筐体の内部に装着されたディスク記録媒体に記録する記録部と、
前記筐体が受けた衝撃を検出する衝撃検出部と、
前記衝撃検出部の検出結果により所定値以上の衝撃が検出された場合には、前記記録部を制御して、前記ディスク記録媒体へのデータの記録を中止させるとともに、記録が中止された当該データの記録開始時に対応する位置へ前記記録手段を移動させるように制御する記録制御手段とを有することを特徴とするデータ記録装置。
【請求項２】
前記記録制御手段は、前記記録手段が前記データの記録開始位置へ移動が完了することに基づき、前記ディスク記録媒体へのデータの記録を許可するように制御することを特徴とする請求項１に記載のデータ記録装置。
【請求項３】
前記記録制御手段は、前記記録手段が前記データの記録開始位置へ移動が完了した後に、前記記録が中止されたデータの記録開始時からのデータを再記録対象として前記ディスク記録媒体に記録するよう制御することを特徴とする請求項１に記載のデータ記録装置。
【請求項４】
ディスク記録媒体にデータを記録するデータ記録方法において、
データが入力されるデータ入力工程と、
入力されたデータを、記録手段を用いて筐体の内部に装着されたディスク記録媒体に記録する記録工程と、
前記筐体が受けた衝撃を検出する衝撃検出工程と、
前記衝撃検出工程における検出結果により所定値以上の衝撃が検出された場合には、前記記録工程を制御して、前記ディスク記録媒体へのデータの記録を中止させるとともに、記録が中止された当該データの記録開始時に対応する位置へ前記記録手段を移動させるように制御する記録制御手段とを有することを特徴とするデータ記録方法。
【発明の詳細な説明】
【技術分野】
【０００１】
本発明は、データ記録装置及びデータ記録方法に関し、例えば被写体の画像をデジタル化して静止画像データの形態で記録するデータ記録装置及びデータ記録方法に関する。
【背景技術】
【０００２】
近年、パーソナルコンピュータの普及等により、画像記録装置として画像をデジタル化して記録するデジタルカメラ装置の人気が高まっている。このデジタルカメラ装置は、被写体となる画像をデジタル化してフラッシュメモリー等の所定の記録媒体に所定枚数分だけ静止画像データとして記録しておき、後でこの静止画像をパーソナルコンピュータのモニタに出力することができるようになっているものが一般的である。
【０００３】
【特許文献１】特開平０４−２１２５８２号公報
【特許文献２】特開平０７−２７４１０８号公報
【特許文献３】特開平０６−２３１０２３号公報
【特許文献４】特開平０８−０３７６３８号公報
【特許文献５】特開平０６−０４４３１８号公報
【発明の開示】
【発明が解決しようとする課題】
【０００４】
従来のデジタルカメラ装置は、その画像データの記録媒体として、本体内蔵型のフラッシュメモリーや抜き差し可能なカード型のフラッシュメモリー等が使用されていた。
【０００５】
しかしながら、従来のデジタルカメラ装置においては、これらのメモリーがその撮影枚数１枚あたりの単価が高く保存メディアとして適していないことから、撮影後にパーソナルコンピュータにおけるハードディスクやフロッピー（登録商標）ディスク等に撮影した静止画像データを転送してコピーする必要があり、このデータ転送に多くの時間と手間が必要とされた。
【０００６】
また、従来のデジタルカメラ装置においては、これらのメモリーの価格が高くユーザーが何枚も保有することができないため、撮影枚数が制限され、特にパーソナルコンピュータを持ち出せない屋外等での撮影の機会が大幅に制限されるといった問題があった。
【０００７】
さらに、フロッピーディスクドライブ全体に対して強い衝撃が加えられると、その筐体やヘッドアームがたわむことにより、磁気ディスクの記録トラックに対する磁気ヘッドの位置ずれ或いは接触不良が生じ、データ記録時に隣接トラックを浸食したり、現トラックに対する書き込み不良の原因となる。
【０００８】
そこで、本発明は、上述の実情に鑑みて提案されたものであり、衝撃による誤記録を防止するとともに、記録データの連続性を確保することにある。
【課題を解決するための手段】
【０００９】
本発明は、ディスク記録媒体にデータを記録するデータ記録装置において、データが入力されるデータ入力部と、前記データ入力部より入力されたデータを、記録手段を用いて筐体の内部に装着されたディスク記録媒体に記録する記録部と、前記筐体が受けた衝撃を検出する衝撃検出部と、前記衝撃検出部の検出結果により所定値以上の衝撃が検出された場合には、前記記録部を制御して、前記ディスク記録媒体へのデータの記録を中止させるとともに、記録が中止された当該データの記録開始時に対応する位置へ前記記録手段を移動させるように制御する記録制御手段とを有することを特徴とする。
【００１０】
また、本発明は、ディスク記録媒体にデータを記録するデータ記録方法において、データが入力されるデータ入力工程と、入力されたデータを、記録手段を用いて筐体の内部に装着されたディスク記録媒体に記録する記録工程と、前記筐体が受けた衝撃を検出する衝撃検出工程と、前記衝撃検出工程における検出結果により所定値以上の衝撃が検出された場合には、前記記録工程を制御して、前記ディスク記録媒体へのデータの記録を中止させるとともに、記録が中止された当該データの記録開始時に対応する位置へ前記記録手段を移動させるように制御する記録制御手段とを有することを特徴とする。
【発明の効果】
【００１１】
本発明では、所定値以上の衝撃が検出された場合には、ディスク記録媒体へのデータの記録を中止させるとともに、記録が中止された当該データの記録開始時に対応する位置へ記録手段を移動させるので、衝撃による誤記録を防止するとともに、記録データの連続性を確保することができる。
【発明を実施するための最良の形態】
【００１２】
本発明の実施の形態につき図面を参照しながら詳細に説明する。
【００１３】
本発明の実施の形態であるデジタルカメラ装置１は、正面側からの外観を表した図１に示すように、全体略直方体状の外形を呈した携帯可能な大きさとなっている。このデジタルカメラ装置１においては、筐体２の正面側上部にシャッターボタン３、対物レンズ４、フラッシュ５がそれぞれ取り付けられており、ユーザーの右手人差し指でシャッターボタン３が押せるようになっている。
【００１４】
また、デジタルカメラ装置１は、筐体２の一方の側面部６に開閉蓋７が取り付けられており、この側面部６側から３．５インチサイズのフロッピー磁気ディスク９（以下、単に磁気ディスク９という。）が内部に収納されたフロッピーディスクカートリッジ８が筐体２の内部に装填できるようになっている。具体的には、このデジタルカメラ装置１の背面側からの外観を表した図２に示すように、筐体２の内部に詳細を後述するフロッピーディスクドライブ３２が配設されており、このフロッピーディスクドライブ３２のカートリッジ挿入開口部３２ａからフロッピーディスクカートリッジ８（以下、単にカートリッジ８という。）がシャッタ８ａ側から挿入される。
【００１５】
さらに、このデジタルカメラ装置１は、筐体２の背面側にＬＣＤ（Liquid Crystal Display）パネル１１が取り付けられており、撮影時にはこのＬＣＤパネル１１に被写体が表示されるようになっている。そして、デジタルカメラ装置１においては、シャッターボタン３を押すことにより被写体を撮影すると、フロッピーディスクドライブ３２に装填されたカートリッジ８内の磁気ディスク９に当該被写体についての画像データ（以下、本体画像データという。）及びこの本体画像データについてのインデックスとなるサムネイル画像データが、それぞれ「.ＪＰＧ」及び「.４１１」の拡張子を持ったファイル形式で記録される。
【００１６】
また、デジタルカメラ装置１は、被写体の撮影後における本体画像データの再生時には、磁気ディスク９に記録されたサムネイル画像データについてのサムネイル画像が６枚分だけＬＣＤパネル１１に表示され、このうちの特定のサムネイル画像を指定することにより、そのサムネイル画像に対応する本体画像データが磁気ディスク９から読み出されてＬＣＤパネル１１に表示されるようになっている。
【００１７】
さらに、デジタルカメラ装置１は、例えば磁気ディスク９に記録された本体画像データ及びサムネイル画像データのうち不要なものを消去したり、ＬＣＤパネル１１に表示されるサムネイル画像の並べ方を変更するといった種々の編集ができるようになっている。
【００１８】
すなわち、デジタルカメラ装置１においては、ＬＣＤパネル１１の周囲に種々の操作ボタン／スイッチ１２ａ，１２ｂ，１２ｃ，１２ｄ，１２ｅ，１２ｆ，１２ｇ等が配設されており、これら各種操作ボタン等を操作することによって撮影時におけるズーム等の操作、再生時における特定のサムネイル画像の指定、データ消去等の編集ができるようになっている。
【００１９】
なお、開閉蓋７の開閉は、開閉操作部１３を上下動させることによって、この開閉操作部１３と連動する係合爪１４ａ，１４ｂと開閉蓋７の係合部７ａ，７ｂとの係合状態を解除又は保持させることにより行う。
【００２０】
次に、デジタルカメラ装置１の回路構成について説明する。このデジタルカメラ装置１は、図３に示すように、撮像素子であるＣＣＤ２１と、サンプルホールド／アナログデジタル変換回路２２（以下、単にサンプルホールド回路２２という。）と、カメラ信号処理回路２３と、ＤＲＡＭ２４と、ＤＲＡＭコントローラ２５と、上述のＬＣＤパネル１１にＲＧＢ信号を供給するためのパネル信号処理回路２６と、操作入力部２７と、マイクロコンピュータ２８（以下、マイコン２８という。）と、フロッピーディスクコントローラ（ＦＤＣ）３１と、図２で上述したフロッピーディスクドライブ（ＦＤＤ）３２とを備えて構成される。なお、ＤＲＡＭ２４，ＤＲＡＭコントローラ２５，マイコン２８，及びＦＤＣ３１は、相互に共通のバスによって接続される。
【００２１】
デジタルカメラ装置１においては、被写体からの光線が対物レンズ４を通過してＣＣＤ２１で受光され、このＣＣＤ２１によって電気信号に変換される。ＣＣＤ２１からの出力信号は、サンプルホールド回路２２でサンプルホールド処理された後に１０ビットのデジタル信号にＡ／Ｄ変換される。Ａ／Ｄ変換されたこの１０ビットのデジタル信号は、カメラ信号処理回路２３に供給される。
【００２２】
カメラ信号処理回路２３は、 サンプルホールド回路２２から供給される１０ビットのデジタル信号に所定の処理を施して、処理後の信号をＤＲＡＭコントローラ２５に出力する。カメラ信号処理回路２３は、この実施の形態では入力信号から８ビットの輝度信号Ｙと４ビットの色差信号Ｃを生成し、これら各信号Ｙ，ＣをＤＲＡＭコントローラ２５に出力するようになっている。
【００２３】
ＤＲＡＭコントローラ２５は、カメラ信号処理回路２３からの輝度信号Ｙと色差信号Ｃをそのままパネル信号処理回路２６に供給する。なお、ＣＣＤ２１が正方格子でない場合には、ＤＲＡＭコントローラ２５は、カメラ信号処理回路２３からの輝度信号Ｙと色差信号Ｃを正方格子化してパネル信号処理回路２６に供給する。パネル信号処理回路２６は、入力した輝度信号Ｙと色差信号Ｃから赤色信号Ｒ，緑色信号Ｇ，青色信号Ｂを生成し、これらＲＧＢの各色信号をＬＣＤパネル１１に出力する。これにより、撮像対象となる被写体の画像がＬＣＤパネル１１に表示される。
【００２４】
また、ＤＲＡＭコントローラ２５は、カメラ信号処理回路２３からの輝度信号Ｙと色差信号Ｃとを詳細を後述するマイコン２８の制御に基づいてＤＲＡＭ２４の所定領域に格納する。なお、ＤＲＡＭ２４は、４メガバイトのものが２個使用されることにより、合計８メガバイトの格納領域を有している。
【００２５】
操作入力部２７は、図１に示したシャッターボタン３及び図２に示した各種操作ボタン／スイッチ１２ａ〜１２ｇ等の操作内容を検出し、検出した信号を操作信号としてマイコン２８に出力する。
【００２６】
マイコン２８は、例えば高速処理が可能なＲＩＳＣ（Reduced Instruction Set Computer：縮小命令セットコンピュータ）タイプのものが用いられ、各ブロックを制御するためのソフトウェアプログラムが格納されたリードオンリーメモリー（ＲＯＭ）２８ａを備えている。マイコン２８は、操作入力部２７からの操作信号に基づいてこのＲＯＭ２８ａ内のソフトウェアプログラムを実行させることにより、上述した撮影時，再生時，及び編集時における画像圧縮／伸張やファイル管理等の処理を行う。
【００２７】
具体的には、マイコン２８は、被写体の撮影時において輝度信号Ｙと色差信号ＣをＤＲＡＭコントローラ２５からＤＲＡＭ２４の所定領域に格納させ、格納された輝度信号Ｙと色差信号ＣをＪＰＥＧ（Joint Photographic coding ExpertsGroup）方式でデータ圧縮する処理を行う。また、マイコン２８は、ＪＰＥＧ方式で圧縮した本体画像についてのデータをＤＲＡＭ２４の上記領域とは異なる領域にＪＰＥＧストリームデータとして書き込む処理を行う。さらに、マイコン２８は、当該ＪＰＥＧストリームデータをＤＲＡＭ２４から読み出して、このＪＰＥＧストリームデータを所謂ＰＣ／ＡＴ互換型のパーソナルコンピュータに対応するＭＳ−ＤＯＳ（Microsoft Disc Operating System：マイクロソフト社の登録商標）フォーマット形式に変換してＦＤＣ３１に供給する処理を行う。そして、マイコン２８は、このＭＳ−ＤＯＳフォーマット形式に変換したデータをフロッピーディスクドライブ３２に装填されたカートリッジ８内の磁気ディスク９に書き込むようにＦＤＣ３１を制御する。
【００２８】
図４は、マイコン２８のアドレス空間を表した図である。マイコン２８は、図４に示すように、0000000〜0ffffffのエリアが内蔵ＲＯＭ領域、2000000〜2ffffffのエリアがＦＤＣ３１のための領域、5000000〜5ffffffのエリアが内蔵している周辺モジュールのための領域、9000000〜9ffffffのエリアがＤＲＡＭ２４のための領域、e000000〜effffffのエリアが後述するフラッシュメモリーのための領域、f000000〜fffffffのエリアが内蔵ＲＡＭの領域になっている。
【００２９】
図５は、上述した合計８メガバイトのＤＲＡＭ２４のデータ領域を表した図である。ＤＲＡＭ２４は、領域9f00000〜9f77fffの４９１０２５バイトがＬＣＤパネル１１に表示するための本体画像１枚分の画像データを格納するための原画画像データ格納領域（以下、領域Ａという。）になっている。また、ＤＲＡＭ２４は、9f78000〜9f7ffffの３２７６８バイトがＪＰＥＧ方式によって上記原画画像データの圧縮処理又は原画画像データへの展開処理を行うための圧縮・展開作業領域（以下、領域Ｂという。）になっている。なお、この領域Ｂは、上記原画画像データからサムネイルデータを生成するための領域にもなっている。
【００３０】
そして、ＤＲＡＭ２４は、領域9f80000〜9f87fffの３２７６８バイトがマイコン２８が詳細を後述する記録時及び再生時のメインルーチンを実行するための作業領域であるメインルーチン共通領域（以下、領域Ｃという。）になっている。
【００３１】
また、ＤＲＡＭ２４は、領域9f88000〜9f8ffffの３２７６８バイトがＭＳ−ＤＯＳのためのＤＯＳ領域（以下、領域Ｄという。）に、領域9f90000〜9fcffffの２６２１４４バイトが複数（例えば５０枚分）のサムネイル画像データのファイルが格納されるサムネイルイメージ格納領域（以下、領域Ｅという。）に、領域9fd0000〜9ffffffの１９６０８バイトがＪＰＥＧ方式によって圧縮されて生成された本体画像データのファイルが格納されるＪＰＥＧファイルイメージ格納領域（以下、領域Ｆという。）にそれぞれ割り当てられている。
【００３２】
さらに、デジタルカメラ装置１においては、図６に示すように、外部からの衝撃を検出するための加速度センサー３３と、この加速度センサー３３の出力信号を増幅するための増幅回路３４と、この増幅回路３４からの出力信号を固定するためのフリップフロップ３５とを備えている。加速度センサー３３は、所定Ｇ値以上の衝撃が検出された場合に検出信号を出力するものであり、その詳細についての説明は後述する。
【００３３】
フリップフロップ３５の出力は、マイコン２８に対して供給されるとともに、フロッピーディスクドライブ３２に対してＡＮＤ回路３６の一方の入力端子を介して供給される。一方、マイコン２８は、フリップフロップ３５に対してリセット信号を出力するようになっている。
【００３４】
ＡＮＤ回路３６は、図６に示すように、その他方の入力端子がＦＤＣ３１の制御信号の出力側と接続され、その出力端子がフロッピーディスクドライブ３２と接続されることにより、フロッピーディスクドライブ３２の記録動作の許可／不許可の指示を与えるゲート（Ｗ．ゲート）としての機能を有している。なお、この加速度センサー３３等についての詳細な説明は後述する。
【００３５】
次に、デジタルカメラ装置１におけるデータ記録時の制御動作について図７のフローチャートを参照して説明する。
【００３６】
電源投入後のステップＳ１で、マイコン２８は、カートリッジ８が装填されているかどうかを判断し、装填されていると判断された場合はステップＳ３に進み、一方、装填されていないと判断された場合はステップＳ２に進む。
【００３７】
マイコン２８は、ステップＳ２において、ＬＣＤパネル１１に「ＮＯ ＤＩＳＫ」の文字を表示させてユーザーに警告するとともに、カートリッジ８が装填されるまで待機する。
【００３８】
ステップＳ３で、マイコン２８は、磁気ディスク９への書き込みが可能かどうかについて判断するため、カートリッジ８にライトプロテクトがかけられているか否かを検出し、かけられている場合はステップＳ４に進み、かけられていない場合はステップＳ５に進む。
【００３９】
マイコン２８は、ステップＳ４において、書き込みできない旨の警告を行い、処理を終了させる。具体的には、ＬＣＤパネル１１に「ＤＩＳＫ ＰＲＯＴＥＣＴ」等の文字を表示させるようにする。
【００４０】
ステップＳ５において、マイコン２８は、ＦＤＣ３１を制御してフロッピーディスクドライブ３２により磁気ディスク９の最外周にある００トラックを再生し、このトラックにおけるルートディレクトリ領域やＦＡＴ（File Allocation Table）領域に記載されているデータを読み込むことにより、磁気ディスク９のデータ領域に存在するファイル名やそのアドレス等の各種情報を抽出する。
【００４１】
マイコン２８は、続くステップＳ６で、ファイルリストテーブル（ＦｉｌｅＬｉｓｔ Ｔａｂｌｅ）を作成し、このテーブルにステップＳ５で抽出された各種情報を列挙して、ステップＳ７に進む。
【００４２】
ステップＳ７で、マイコン２８は、磁気ディスク９がＤＯＳ／Ｖ形式でフォーマットされているか否かをチェックし、ＹＥＳの場合はステップＳ９に進み、ＮＯの場合はステップＳ８に進む。
【００４３】
磁気ディスク９がＤＯＳ／Ｖ形式でフォーマットされていない場合のステップＳ８において、マイコン２８は、ＬＣＤパネル１１に「ＤＩＳＫ ＥＲＲＯＲ」の文字を表示させて処理を終了させる。
【００４４】
マイコン２８は、ステップＳ９において、レリーズが入力されるまで待機する。すなわち、図１に示すシャッターボタン３が押されるまでステップＳ９で待機し、シャッターボタン３が押された場合にステップＳ１０に進む。
【００４５】
ステップＳ１０で、マイコン２８は、被写体を撮影することにより得られた画像データをＤＲＡＭ２４の図５に示す領域Ａに格納することにより、本体画像を取り込む処理を行う。
【００４６】
次のステップＳ１１において、マイコン２８は、ＤＲＡＭ２４の領域Ａに格納した画像データを領域ＢでＪＰＥＧ方式によって圧縮する処理を行うことにより本体画像データを生成し、生成された本体画像データをＤＲＡＭ２４の領域Ｆにファイル形式で格納する。
【００４７】
続くステップＳ１２において、マイコン２８は、ステップＳ１０で取り込んだ本体画像のデータを画素単位で所定データ量に間引くことにより、本体画像のサブサンプルであるサムネイル画像データを生成し、このサムネイル画像データをＤＲＡＭ２４の領域Ｂにファイル形式で格納する。なお、このデジタルカメラ装置１では、このサムネイル画像ファイルが所定容量となるように上記データの間引きが行われる。
【００４８】
次のステップＳ１３で、マイコン２８は、各データの記録に先だって磁気ディスク９の残りの記録容量を上記ファイルリストテーブルを参照して調べる。そして、マイコン２８は、この残りの記録容量とステップＳ１１及びステップＳ１２でそれぞれ領域Ｆ及び領域Ｅに格納された本体画像データとサムネイル画像データとの合計の容量とを比較して、磁気ディスク９の残量が足りるか否かについて判断する。残量が足りると判断された場合はステップＳ１５に進み、足りないと判断された場合はステップＳ１４に進む。
【００４９】
ステップＳ１４において、マイコン２８は、「ＤＩＳＫ ＦＵＬＬ」等の文字をＬＣＤパネル１１に表示させることにより、ユーザーに警告を発して処理を終了させる。
【００５０】
マイコン２８は、ステップＳ１５において、磁気ディスク９に既に記録されているファイルの数を上記ファイルリストテーブルを参照して調べ、ファイル数の制限を受けるか否かについて判断する。具体的には、本体画像ファイルとサムネイル画像ファイルの２つのファイルについてのファイル名を磁気ディスクの００トラックに追加する場合に制限を受けるか否かについて判断する。ファイル数に制限を受ける場合、すなわちこれ以上ファイル名を追加できない場合はステップＳ１６に進み、制限を受けない場合はステップＳ１７に進む。
【００５１】
ステップＳ１６において、マイコン２８は、ステップＳ１４と同様に「ＤＩＳＫ ＦＵＬＬ」等の文字をＬＣＤパネル１１に表示させることにより、ユーザーに警告を発して処理を終了させる。すなわち、上述のステップＳ１３及びステップＳ１５では、現在の磁気ディスク９の状態で本体画像ファイルとサムネイル画像ファイルとを記録させることができるか否かが判断されたことになる。
【００５２】
マイコン２８は、ステップＳ１７において、本体画像ファイルとサムネイル画像ファイルのそれぞれについてファイル名を作成する。このファイル名は、図８に示すように、本体画像ファイルの１番目については「ＭＶＳ−００１Ｓ.ＪＰＧ」というファイル名となる。一方、この本体画像ファイルに対応する１番目のサムネイル画像ファイルとしては、「ＭＶＳ−００１Ｓ.４１１」というファイル名となる。すなわち、「ＪＰＧ」，「４１１」がそれぞれ本体画像ファイル，サムネイル画像ファイルの拡張子であり、本体画像ファイルとサムネイル画像ファイルとでは、この拡張子のみが異なり他の部分は同一のファイル名となる。
【００５３】
ここで「ＭＶＣ−」の部分は、各本体画像ファイルと各サムネイル画像ファイルとの間で共通に付されるいわゆる名称固定部分となる。また、「００１」の部分は、通し番号であり、上述のファイルリストテーブルを参照することにより、各本体画像ファイル及び各サムネイル画像ファイル毎に異なる数字が付される。この通し番号は、００１から９９９まであり、ディスク上の最大の番号に１を加えた数を新しい番号とする。なお、ファイルリストテーブルを参照することにより、９９９という通し番号の本体画像ファイル又はサムネイル画像ファイルがあった場合は、００１からの使われていない番号を割り当てるようにする。
【００５４】
さらに、「Ｓ」の部分は本体画像ファイルのデータの圧縮率の程度を表す部分であり、この場合は本体画像ファイルが標準の圧縮を施したデータからなるファイルであることを示している。なお、本体画像ファイルが高画質用の圧縮を施したデータからなるファイルの場合は、この部分が「Ｆ」となる。
【００５５】
次のステップＳ１８において、マイコン２８は、本体画像ファイルを磁気ディスク９の所定領域に記録するための本体画像ファイルアロケーションを作成する。具体的には、磁気ディスク９の外周側から領域を確保することにより、上記本体画像ファイルを記録する領域を決定し記憶する。
【００５６】
続くステップＳ１９において、マイコン２８は、ＦＤＣ３１を制御することにより、ステップＳ１８で決定された磁気ディスク９上の領域に対して本体画像ファイルをフロッピーディスクドライブ３２で書き込む処理を行う。
【００５７】
さらに、マイコン２８は、次のステップＳ２０において、サムネイル画像ファイルを磁気ディスク９の所定領域に記録するためのサムネイル画像ファイルアロケーションを作成する。具体的には、磁気ディスク９の内周側から領域を確保することにより、上記サムネイル画像ファイルを記録する領域を決定し記憶する。
【００５８】
そして、マイコン２８は、続くステップＳ２１において、ＦＤＣ３１を制御することにより、ステップＳ２０で決定された磁気ディスク９上の領域に対してサムネイル画像ファイルをフロッピーディスクドライブ３２で書き込む処理を行う。
【００５９】
次のステップＳ２２において、マイコン２８は、ＦＤＣ３１を制御することにより、磁気ディスク９の上述の００トラックにおけるルートディレクトリ領域とＦＡＴ（File Allocation Table）領域に、ステップＳ１９及びステップＳ２１で記録された本体画像ファイル及びサムネイル画像ファイルについてのファイル名、記録時刻、ファイルサイズ等についての情報をフロッピーディスクドライブ３２で書き込む。これを表したのが図９であり、この場合、本体画像ファイルとサムネイル画像ファイルとで、拡張子を除くファイル名が同一であり、最終編集時刻（この場合は記録時刻）が一致することになる。また、サムネイル画像ファイルは、そのファイルサイズが必ず４８０６バイトとなり、一方の本体画像ファイルについてのファイルサイズは画像の複雑さにより変化するので不定となる。
【００６０】
さらに、マイコン２８は、次のステップＳ２３で、上記ファイルリストテーブルに上記２つのファイルについての情報を追加することにより、このファイルリストテーブルを変更し、ステップＳ２４に進む。
【００６１】
ステップＳ２４で、マイコン２８は、サムネイル画像ファイルをＤＲＡＭ２４の領域Ｂから領域Ｅに転送する。マイコン２８は、このステップＳ２４の処理が終了した後にステップＳ９のレリーズの入力待ちの状態に戻り、以下レリーズの入力に基づいて上述のステップＳ９からステップＳ２４まで処理を繰り返す。
【００６２】
以上の処理により、磁気ディスク９のデータ領域には、図１０（Ａ）に示すように、本体画像ファイルとサムネイル画像ファイルがそれぞれディスクの両端側から記録される。なお、ここでは説明の便宜のため、本体画像ファイル及びサムネイル画像ファイルのファイル名をＡ.ＪＰＧ，Ｂ.ＪＰＧ・・・・及びＡ.４１１，Ｂ.４１１・・・・と略記する。図１０（Ａ）は、４つの本体画像ファイルＡ.ＪＰＧ，Ｂ.ＪＰＧ，Ｃ.ＪＰＧ，Ｄ.ＪＰＧをこの順で記録した場合に、それらに対応するサムネイル画像ファイルＡ.４１１，Ｂ.４１１，Ｃ.４１１，Ｄ.４１１が記録された様子を表したものである。
【００６３】
すなわち、このデジタルカメラ装置１においては、本体画像ファイルがディスクのデータ領域の先頭から順に記録及び配列されるとともに、サムネイル画像ファイルがデータ領域の最終側から順に配列される。なお、個々のサムネイル画像ファイルの記録方向すなわちデータを書き込む方向については本体画像ファイルの記録方向と同一である。
【００６４】
このように、いわゆる空の状態の磁気ディスク９に対して各データを記録する場合については、本体画像ファイルとサムネイル画像ファイルとが相互に磁気ディスク９の物理的に分離した領域に記録され、かつサムネイル画像データが磁気ディスク９のデータ領域の一端側から連続して記録されるので、複数のサムネイル画像データの読み出しをあたかも単一のファイルであるかのように迅速に行うことが可能となり、この読み出しに要する時間が大幅に短縮される。
【００６５】
また、サムネイル画像データだけが一まとまりの状態で記録されるので、余分なデータ処理が不要となる。さらには、本体画像ファイルにサムネイル情報を持たせる必要がないため、本体画像ファイルのファイルフォーマットに依存する必要がない。
【００６６】
一方、デジタルカメラ装置１においては、本体画像ファイルがサムネイル画像ファイルと反対側のディスク上の位置から記録されてゆくので、図１０（Ａ）に示すように、磁気ディスク９上の空き領域が一箇所にまとまっており、データ記録時において磁気ディスク９のデータ領域全体を有効に使用することができる。
【００６７】
なお、このデジタルカメラ装置１で各データが記録された磁気ディスク９は、ＭＳ−ＤＯＳフォーマットに依っているため、ＤＩＳＫＣＯＰＹコマンドによるコピーも通常通り行うことができる。
【００６８】
図１０（Ｂ）は、図１０（Ａ）の状態から、さらに５番目の本体画像ファイルであるＥ.ＪＰＧとこの本体画像ファイルのサムネイル画像ファイルであるＥ.４１１とを追加して記録した場合を表している。この場合に、例えば磁気ディスク９において４番目の本体画像ファイルＤ.ＪＰＧの後段に何か他のデータが存在することにより、５番目の本体画像ファイルＥ.ＪＰＧがＤ.ＪＰＧと不連続に記録された場合であっても、５番目のサムネイル画像ファイルＥ.４１１についてはＤ.４１１に連続して記録される可能性が極めて高い。すなわち、一般にフロッピーディスクドライブは、ディスクの外周からファイルを記録してゆくものであるため、ディスクの内周側についてはいわゆる手付かずの状態になっていることが多いからである。
【００６９】
さらに、サムネイル画像ファイルについては、その容量が固定であることから、例えば編集によりサムネイル画像ファイルＣ.４１１を削除した場合であっても、次に記録されるサムネイル画像ファイルであるＦ.４１１について、このＣ.４１１の記録されていた領域に記録させることができる。このデジタルカメラ装置１では、このように特定のサムネイル画像ファイルが消去されて磁気ディスク９にサムネイル画像ファイルについての不連続な領域が発生した場合、次の記録時にサムネイル画像ファイルが消去された不連続領域に新たなサムネイル画像ファイルを記録するようになっている。このような記録方法とすることにより、磁気ディスク９における各サムネイル画像ファイルの連続性を維持することができる。なお、このような実例についての詳細な説明は後述する。
【００７０】
次に、デジタルカメラ装置１における再生時のサムネイル画像ファイルの読み出し制御について、図１１のフローチャートを参照して説明する。
【００７１】
デジタルカメラ装置１においては、サムネイル読み出しモードに入った後に、以下に説明するステップＳ３１乃至ステップＳ４０の一連の処理を実行する。
【００７２】
マイコン２８は、ステップＳ３１において、ＦＤＣ３１を制御してフロッピーディスクドライブ３２により磁気ディスク９の最外周にある００トラックを再生し、サムネイルファイルについての情報の読み出しを開始して、ステップＳ３２に進む。
【００７３】
マイコン２８は、ステップＳ３２において、有効なサムネイル画像ファイルのファイル名を抽出する処理を行う。具体的には、上記００トラックのルートディレクトリ領域やＦＡＴ領域を参照してサムネイル画像ファイルと本体画像ファイルとの対応関係を調べ、対応する本体画像ファイルが存在するか否か等によりサムネイル画像ファイルが有効かどうかを判別し、有効なサムネイル画像ファイルのファイル名のみを抽出する。また、サムネイル画像ファイルと本体画像ファイルとの対応関係を調べた場合に所定の本体画像ファイルに対応するサムネイル画像ファイルがない場合は、当該本体画像ファイルのファイル名等の情報を記憶しておく。
【００７４】
次のステップＳ３３において、マイコン２８は、ＦＤＣ３１を制御して、抽出された有効なサムネイル画像ファイルのファイル名を磁気ディスク９の物理的なアドレス順に並べる。
【００７５】
次のステップＳ３４において、マイコン２８は、各サムネイル画像ファイルのアドレスと本体画像ファイルとを関連づけるための詳細を後述するサムネイル管理テーブルを作成する。なお、ステップＳ３２で述べた所定の本体画像ファイルに対応するサムネイル画像ファイルがない場合には、このサムネイル管理テーブル作成の際に当該所定の本体画像ファイルに詳細を後述するブランクイメージデータを割り当てるようにする。
【００７６】
マイコン２８は、続くステップＳ３５において、ＦＤＣ３１を制御してフロッピーディスクドライブ３２によりサムネイル画像ファイルを磁気ディスク９の外周側に位置するものから一つ読み出してＤＲＡＭ２４の図５に示す領域Ｅに格納した後に、ステップＳ３６に進む。
【００７７】
ステップＳ３６において、マイコン２８は、ステップＳ３５の処理が正常に終了したか、すなわち、一つのサムネイル画像ファイルが正常に読み出されたかについて判断する。正常に終了したと判断された場合はステップＳ３８に進み、正常に終了していないと判断された場合はステップＳ３７に進む。
【００７８】
ステップＳ３６の処理が正常に終了していないと判断された場合のステップＳ３７において、マイコン２８は、サムネイル画像ファイルが存在していないものとして処理を行い、ステップＳ３８に進む。具体的には、上記サムネイル管理テーブルを変更して、上記ブランクイメージに対応させるためのポインタを設定する。
【００７９】
ステップＳ３８において、マイコン２８は、サムネイル画像ファイルを最後まで読み出したか否かについて判断し、ＹＥＳの場合はステップＳ４０に進んで処理を終了させ、ＮＯの場合はステップＳ３９に進む。
【００８０】
ステップＳ３９において、マイコン２８は、次のサムネイル画像ファイルを読み出す準備を行い、上述したステップＳ３５に戻る。これにより、マイコン２８は、有効な全てのサムネイル画像ファイルが読み出されるまでステップＳ３５乃至ステップＳ３９の処理を繰り返すことになる。
【００８１】
次に、磁気ディスクからデータの消去等を行った場合について、図面を参照して説明する。なお、ここでは説明の便宜のため、本体画像ファイル及びサムネイル画像ファイルのファイル名を００１.ＪＰＧ，００２.ＪＰＧ・・・・及び００１.４１１，００２.４１１・・・・と略記する。
【００８２】
図１２は、ある磁気ディスクに対してデータの記録や削除等を行ったことに関する履歴を示したものである。すなわち、この例における磁気ディスク（以下、この例における磁気ディスクを磁気ディスク９ａという。）は、図１２に示すように、５番目の本体画像ファイルである００５.ＪＰＧの記録時に、これに対応するサムネイル画像ファイル００５.４１１が何等かの原因により記録されなかったものとなっている。また、この磁気ディスク９ａは、本体画像ファイル００１.ＪＰＧ乃至００９.ＪＰＧ及びそれに対応するサムネイル画像ファイル（００５.４１１を除く００１.４１１乃至００９.４１１）を記録した後に、本体画像ファイル００３.ＪＰＧ及び対応するサムネイル画像ファイル００３.４１１を削除し、この削除後に本体画像ファイル０１０.ＪＰＧ及び対応するサムネイル画像ファイル０１０.４１１を記録したものとなっている。
【００８３】
以下、この磁気ディスク９ａの再生時の動作を上述した図１１のフローチャートに従って説明する。
【００８４】
ステップＳ３１において、フロッピーディスクドライブ２３により磁気ディスク９ａの００トラックの再生が開始される。
【００８５】
ステップＳ３２において、有効なサムネイル画像ファイルのファイル名として、００１.４１１と、００２.４１１と、００４.４１１と、００６.４１１と、００７.４１１と、００８.４１１と、００９.４１１と、０１０.４１１とが抽出される。また、本体画像ファイル００５.ＪＰＧに対応するサムネイル画像ファイル（００５.４１１）が存在しないため、本体画像ファイル００５.ＪＰＧのファイル名にポインタが設定される。
【００８６】
そして、次のステップＳ３３においては、抽出された有効なサムネイル画像ファイルのファイル名が磁気ディスク９の物理的なアドレス順に並べ換えられる。この場合は、００９.４１１、００８.４１１、００７.４１１、００６.４１１、００４.４１１、０１０.４１１、００２.４１１と、００１.４１１の順に並べ換えられることになる。すなわち、サムネイル画像ファイルは磁気ディスク９ａの最内周側から記録されており、また、００３.ＪＰＧ及び００３.４１１が削除された後に０１０.４１１が記録されたので、このサムネイル画像ファイル０１０.４１１が００４.４１１と００２.４１１との間の領域に記録されているからである。
【００８７】
ステップＳ３４において、例えば図１３に示すようなサムネイル管理テーブルが作成される。このサムネイル管理テーブルは、ファイル番号の欄と、本体画像ファイルの欄と、対応するサムネイルのアドレスの欄とがあり、この実施の形態では、ファイル番号及び本体画像ファイルの欄が本体画像ファイルの記録順に並べられる。そして、対応するサムネイルのアドレスの欄には、ステップＳ３３で行われた並べ換えの順序に従ってＤＲＡＭ２４の領域Ｅへ格納する際の、この領域内の先頭アドレスがそれぞれ記載される。また、対応するサムネイル画像ファイルがない本体画像ファイル００５.ＪＰＧについては、ブランクイメージデータが格納されるＤＲＡＭ２４上の領域の先頭アドレスとして例えば０が記載される。
【００８８】
続くステップＳ３５において、磁気ディスク９ａの外周側に位置するサムネイル画像ファイル００９.４１１が読み出されて、図１４に示すように、例えばＤＲＡＭ２４の領域Ｅにおけるアドレス番号ａ〜ｂ−１までの領域に格納され、ステップＳ２６でこのサムネイル画像ファイルが正常に読み出されたと判断される。なお、上記ステップＳ２５でサムネイル画像ファイル００９.４１１が正常に読み出されなかった場合は、ステップＳ２７でサムネイル管理テーブルの対応するサムネイルのアドレスの欄が０に書き換えられる。
【００８９】
そして、ステップＳ３８において、まだ全部のサムネイル画像ファイルが読み出されていないことからステップＳ３９に進み、以下ステップＳ３５乃至ステップＳ３９の処理が繰り返されることにより、図１４に示すように、サムネイル画像ファイルが００８.４１１、００７.４１１、００６.４１１、００４.４１１、０１０.４１１、００２.４１１と、００１.４１１の順でＤＲＡＭ２４の領域Ｅに格納されることになる。
【００９０】
なお、上述のように、この磁気ディスク９にはサムネイル画像ファイル００５.４１１が記録されていないので、ＤＲＡＭ２４には、００４.４１１の後に００６.４１１が読み込まれることになる。また、この磁気ディスク９ａにはサムネイル画像ファイルが存在しない本体画像ファイルがあることから、ＤＲＡＭ２４の所定領域（図１４における０〜ａ−１の領域）には、サムネイルファイルがない場合に代わりに表示するためのブランクイメージのデータを格納するようにする。
【００９１】
そして、磁気ディスク９ａにおける全てのサムネイル画像ファイルがＤＲＡＭ２４に格納された後に、マイコン２８は、ＬＣＤパネル１１に６枚分のサムネイルを表示させるようにＤＲＡＭコントローラ２５、パネル信号処理回路２６等を制御する。このとき、サムネイル管理テーブルを参照して、ファイル番号順にサムネイルをＬＣＤパネル１１に表示させるようにする。
【００９２】
これにより、図１５に示すように、６枚分のサムネイルがＬＣＤパネル１１に表示されることとなる。なお、００５.ＪＰＧについては対応するサムネイル画像ファイルが存在しないことから、上記ブランクイメージとして、例えば他の撮影画像と同一の大きさを有する灰色の画像内に本体画像のファイル名等を表示させるようにすればよい。
【００９３】
そして、デジタルカメラ装置１においては、操作入力部２７の操作信号に基づいて、表示された６枚数分のサムネイルのうち一のサムネイルに対応する本体画像ファイルが磁気ディスク９ａから読み出される。この本体画像ファイルは、ＤＲＡＭ２４の領域Ｆに格納され、マイコン２８によってＪＰＥＧ方式に基づく展開処理がなされた後にＬＣＤパネル１１に大きく表示される。
【００９４】
次に、デジタルカメラ装置１の内部の機械的な構成について説明する。このデジタルカメラ装置１は、図１６に示すように、その筐体２が正面側ハーフ２ａと背面側ハーフ２ｂとに分解可能となっており、これら各ハーフ２ａ，２ｂの内部側に回路基板４１、シャーシ４２、図３で説明したフロッピーディスクドライブ３２が配設される。具体的には、回路基板４１とシャーシ４２とフロッピーディスクドライブ３２は、相互に略等しい略矩形の平面形状を呈しており、この矩形形状同士が重なるようにして筐体２の内部に配設される。
【００９５】
さらに具体的には、図１６に示すように、回路基板４１は、その４隅部がシャーシ４２の正面側ハーフ２ａを臨む一方の主面に複数のネジ４３によって固定される。また、フロッピーディスクドライブ３２は、詳細を後述する４つの緩衝部材４５，４６，４７，及び４８を介してシャーシ４２の背面側ハーフ２ｂを臨む他方の主面に対峠して取り付けられる。そしてこれら回路基板４１及びフロッピーディスクドライブ３２が取り付けられたシャーシ４２が、筐体２の正面側ハーフ２ａに上側からはネジ４４で、また図示を省略するが側面側からもネジでそれぞれ固定される構成となっている。
【００９６】
ここで、回路基板４１は、全体略矩形の板状を呈し、その両主面には図３及び図６に示した回路のブロックとなるＬＳＩ等の種々のチップが取り付けられる。また、図１６に示すように、この回路基板４１の背面側ハーフ２ｂを臨む側の主面４１ａには、略直方体の外形を呈する図６で上述した加速度センサー３３が取り付けられている。この加速度センサー３３は、具体的には図１７に示すように、この回路基板４１の上記主面４１ａにおけるやや右下側に、略直方体の筐体６１における長辺が回路基板４１の下辺部４１ｂに対して略４５度の角度となるように取り付けられている。なお、この加速度センサー３３のさらなる詳細については後述する。
【００９７】
シャーシ４２は、ステンレス等の金属により成形され、その主面部４２ａが大きく肉抜きされている。シャーシ４２においては、この主面部４２ａの上縁側、下縁側、及び図１６における右縁側から、それぞれ上方フランジ４２ｂ、下方フランジ４２ｃ、側方フランジ４２ｄが背面側ハーフ２ｂを臨む方向に形成されている。
【００９８】
フロッピーディスクドライブ３２は、金属による筐体３２ｂを有する所謂１／２ハイトの薄型のものである。このフロッピーディスクドライブ３２は、４つの緩衝部材４５，４６，４７，４８を介してネジ止めによりシャーシ４２に取り付けられている。すなわち、シャーシ４２の上方フランジ４２ｂ及び下方フランジ４２ｃと各緩衝部材４５〜４８には、ネジ４９，５０，５１，５２を貫通させるための孔部が形成されており、各ネジ４９〜５２をこれら各孔部に貫通させフロッピーディスクドライブ３２の対応する位置に形成されたネジ孔にねじ込むことにより、シャーシ４２に対してフロッピーディスクドライブ３２が固定される。
【００９９】
ここで、シャーシ４２に対する回路基板４１及びフロッピーディスクドライブ３２の取り付け状態をカートリッジ挿入開口部３２ａ側から表した図１８に示すように、フロッピーディスクドライブ３２の筐体３２ｂとシャーシ４２の主面部４２ａとは直接接触しないようになっており、シャーシ４２に与えられた振動や衝撃が各緩衝部材４５〜４８を介してフロッピーディスクドライブ３２に伝達されるようになっている。一方、シャーシ４２と回路基板４１との関係においては、上述のように回路基板４１の４隅部がシャーシ４２の主面部４２ａにネジ４３によって固定されていることから、シャーシ４２に与えられた振動や衝撃がそのまま回路基板４１に伝達されるようになっている。
【０１００】
各緩衝部材４５〜４８は、外部から筐体２に与えた衝撃がフロッピーディスクドライブ３２に伝達するまでの時間を遅らせるためのものであり、例えばゴム、スポンジ、シリコン、軟質プラスチック等のある程度軟質の部材により成形される。なお、各緩衝部材４５〜４８は、筐体２に与えられた衝撃をある程度弱めてフロッピーディスクドライブ３２に伝達する機能も有している。
【０１０１】
なお、この実施の形態では、フロッピーディスクドライブ３２と筐体２とをシャーシ４２を介して接続することとしているが、フロッピーディスクドライブ３２と筐体２とを、シャーシ４２を介さないで接続する構成としてもよい。この場合は、ネジ４９〜５２を貫通させるための孔部を筐体２側に形成し、この孔部に対してネジ４９〜５２を挿入することにより、フロッピーディスクドライブ３２を筐体２に対して各緩衝部材４５〜４８を介して取り付けることとすればよい。
【０１０２】
加速度センサー３３は、その構造を透視して表した図１９に示すように、筐体の６１の内部に衝撃を検出するための衝撃検出板６２が配設されている。この衝撃検出板６２は、全体略長方形の板状部材であり、具体的には図２０に示すように、例えば両主面の中央に電極の設けられた２枚の圧電セラミック板６２ａ，６２ｂにより薄い梁状に形成されている。そして、衝撃検出板６２は、長手方向における両端側が筐体６１内で固定されるとともに、主面の中央が筐体６１内で移動できるように構成されている。これにより、加速度センサー３３においては、衝撃検出板６２の面方向に対する衝撃が加わると、この衝撃検出板６２が円弧状に屈曲し、衝撃の強さに比例した信号を得るようになっている。
【０１０３】
なお、この衝撃検出板６２は、図１９に示すように、その長辺が筐体６１の長辺に対して平行で、その両主面が筐体６１の底面６３に対して４５度の角度となるように筐体６１の内部に配設されている。そして、この底面６３が、回路基板４１への取り付け面となる。
【０１０４】
したがって、図１７に示すように、この加速度センサー３３を、筐体６１の長辺が回路基板４１の主面４１ａの下辺部４１ｂに対して４５度の角度となるように取り付けることにより、種々の方向からの衝撃を検出することができる。なお、この角度で加速度センサー３３を取り付けることにより、各方向からの衝撃に対する信号の検出の程度を均等にすることができることが実験により確認された。すなわち、デジタルカメラ装置１においては、その筐体２が図１及び図２に示すような基本姿勢で使用した場合に加速度センサー３３の衝撃検出板６２の主面が図１６に示すＸ，Ｙ，Ｚの３軸方向に対して略４５度の角度をなすようにこの加速度センサー３３を配設しているので、このＸ，Ｙ，Ｚの各軸方向からの衝撃を均等に検出することができ、結果的に一つの加速度センサーで十分な機能を満たすことが確認された。
【０１０５】
図２１は、フロッピーディスクドライブ３２の筐体３２ｂ内に配設される磁気ヘッドの周辺の機構を表した図である。フロッピーディスクドライブ３２の筐体３２ｂ内には、図２１（Ａ）に示すように、ヘッドアクチュエーター７０が配設されている。このヘッドアクチュエーター７０は、上下一対のアーム部材７１，７２により一体に形成されたヘッドアーム７３と、各アーム部材７１，７２の先端側に取り付けられた上下一対の磁気ヘッド７４（７４ａ，７４ｂ）と、ヘッドアーム７３を移動させるための送りモータ７５と、送りモータ７５の回転子に取り付けられた送りスクリュー７６と、この送りスクリュー７６に形成された螺旋状の溝部７６ａと係合するようにアーム部材７３の基端側に取り付けられたピン７７と、ヘッドアーム７３の動きをガイドするためにアーム部材７２の貫通孔部７８に取り付けられたガイドシャフト７９とを備えて構成されている。
【０１０６】
各アーム部材７１，７２は、例えば合成樹脂により成形され、先端側に取り付けられた上下一対の磁気ヘッド７４が、図２１（Ｂ）に示すように、磁気ディスク９の両主面を挟むように位置される。なお、図示しないが、磁気ディスク９の主面中央下側には、この磁気ディスク９を回転駆動するためのスピンドルモータが配設される。
【０１０７】
このような構成とされたヘッドアクチュエーター７０は、磁気ヘッド７４がスピンドルモータによって回転する磁気ディスク９の主面に対して摺動し、磁気ディスク９の記録トラックに磁界を印加する或いは磁気ディスクの記録トラック上に記録された磁気信号を検出することによって、本体或いはサムネイルの画像データの記録或いは再生を行うようになっている。
【０１０８】
そして、ヘッドアクチュエーター７０は、ヘッドアーム７３がガイドシャフト７９に沿って磁気ディスク９の半径方向（図２１（Ａ）及び（Ｂ）の矢印方向）に往復移動する。具体的には、送りモータ７５が所定の回転角だけ回転すると、ヘッドアーム７３が磁気ディスク９に形成された各記録トラック上を１トラックずつ移動する。ここで、フロッピーディスクドライブ３２全体に対して強い衝撃が加えられると、その筐体３２ｂやヘッドアーム７３がたわむことにより、磁気ディスク９の記録トラックに対する磁気ヘッド７４ａ，７４ｂの位置ずれ或いは接触不良が生じ、データ記録時に隣接トラックを浸食したり、現トラックに対する書き込み不良の原因となる。
【０１０９】
なお、このような３．５インチ１／２ハイトのフロッピーディスクドライブの場合、現トラックへの書き込みエラーが発生するＧ値は３Ｇ〜１２Ｇであり、隣接トラックへの浸食が発生するＧ値は５０Ｇ以上であることが実験により判明した。従って、隣接トラックへの侵食を防止するためには５０Ｇ程度以下に、現トラックのエラー発生をも防止するためには３〜１２Ｇを含む適切な値に、加速度センサー３３の衝撃検出に対する設定値を定めるのが合理的である。このデジタルカメラ装置１においては、加速度センサー３３の衝撃検出に対する設定値を７Ｇ〜８Ｇ、特に８Ｇ前後に設定した場合に最も良好な結果が得られることを実験により確認した。
【０１１０】
以下、外部からデジタルカメラ装置１の筐体２に対して衝撃が加えられた場合における加速度センサー３３及びフロッピーディスクドライブ３２等の動作を図２２を参照して説明する。
【０１１１】
デジタルカメラ装置１では、各データの記録に先立ち、図６に示すマイコン２８が記録すべき磁気ディスク９上のトラック番号（ここではｎトラックとする。）及びセクタ番号を決定し、続いてＦＤＣ３１を制御することにより、当該トラック及びセクタの位置までフロッピーディスクドライブ３２の磁気ヘッド７４を移動させるシーク動作が行われる。
【０１１２】
そして、このシーク動作完了後の時刻ｔ0において、マイコン２８からフリップフロップ３５に対してリセット信号が出力されフリップフロップ３５からの出力がリセットされるとともに、ＦＤＣ３１からの制御信号が出力されることにより、ＡＮＤ回路３６の出力信号が反転することによりゲートが開かれ、フロッピーディスクドライブ３２におけるデータの記録が許可される。
【０１１３】
続いて、ＦＤＣ３１からフロッピーディスクドライブ３２に記録データが供給されることにより記録電流が磁気ヘッド７４に供給され、これにより時刻ｔ1からｎトラックの所定セクタに対して記録データが書き込まれる。なお、時刻ｔ0〜時刻ｔ1までの時間は、フロッピードライブ３２が動作するまでの立上がり時間である。
【０１１４】
そして、時刻ｔ2において例えば８Ｇ以上の衝撃が発生した場合には、この衝撃が筐体２からシャーシ４２、回路基板４１、加速度センサー３３の順に伝達され、この加速度センサー３３から衝撃の検出信号が出力される。加速度センサー３３からのこの検出信号は、増幅回路３４で増幅された後フリップフロップ３５に供給されることにより、このフリップフロップ３５の出力を反転させる。この反転したフリップフロップ３５の出力信号は、マイコン２８とＡＮＤ回路３６とに供給される。これにより、ＡＮＤ回路３６の出力信号が反転し、フロッピーディスクドライブ３２に対するＦＤＣ３１からの制御信号のゲートが閉じられる。従って、図２２に示すように、時刻ｔ2からフロッピーディスクドライブ３２の磁気ヘッド７４に記録電流が供給されないこととなる。
【０１１５】
なお、この実施の形態においては、上述のようにシャーシ４２とフロッピーディスクドライブ３２とが衝撃の伝達を遅らせるための緩衝部材４５〜４８を介して接続されていることから、上記衝撃は、加速度センサー３３に伝達されるよりも遅れた時刻、この例では時刻ｔ2より後の所定時刻にフロッピーディスクドライブ３２に伝達される。かかる時刻においては、フロッピーディスクドライブ３２の磁気ヘッド７４に記録電流が供給されないことから、これにより、たとえ衝撃によって磁気ヘッド７４のトラックずれが発生した場合であっても隣接トラックに対する浸食や現トラックに対する書き込み不良の発生を防止することができる。
【０１１６】
すなわち、この実施の形態においては、筐体２に加わった衝撃がフロッピーディスクドライブ３２に伝わる時刻を遅らせることができるため、相対的に加速度センサー３３の衝撃検出を早めることができ、記録電流カットに必要とする時間的な遅れをカバーすることができる。特に、筐体２やシャーシ４２の剛性が高い場合は、フロッピーディスクドライブ３２の磁気ヘッド７４に衝撃が伝わる速度が非常に早くなり、加速度センサー３３の検出後に記録電流をカットさせたのでは間に合わない場合が起こり得る。このような場合には、図１６及び図１８に示すように、フロッピーディスクドライブ３２と筐体２とを緩衝部材４５〜４８を介して接続することが非常に有効となり、衝撃の伝達時間を遅らせることにより加速度センサー３３の機能が有効に働くこととなる。
【０１１７】
なお、実験の結果、この実施の形態において、筐体２に加えられた衝撃がフロッピーディスクドライブ３２までに伝達されるまでの時間は、１１ミリ秒±５ミリ秒であることが確認された。
【０１１８】
マイコン２８は、時刻ｔ2で上記衝撃発生によりフリップフロップ３５の反転した出力信号を入力すると、ＦＤＣ３１に制御信号を出力することにより、ｎトラックの元の位置に磁気ヘッド７４を移動させる再シークの制御を行う。
【０１１９】
そして、この再シークが完了した後の時刻ｔ3において、マイコン２８は、フリップフロップ３５に対してリセット信号を出力する。これにより、このリセット信号の立ち下がり時である時刻ｔ4でフリップフロップ３５の出力信号が反転し、この反転した出力信号がマイコン２８及びＡＮＤ回路３６に供給される。そして、ＡＮＤ回路３６にこの反転した出力信号が供給されることにより、この時刻ｔ4でＡＮＤ回路３６の出力信号が反転してゲートが開かれ、フロッピーディスクドライブ３２におけるデータの記録が許可される。
【０１２０】
続いてマイコン２８は、記録開始時ｔ1からの記録データをリトライ対象データとして、ＦＤＣ３１からフロッピーディスクドライブ３２に対して記録データを供給させるようにＦＤＣ３１を制御する。これにより、図２２に示すように、時刻ｔ5からフロッピーディスクドライブ３２の磁気ヘッド７４にリトライ対象データについての記録電流が供給され、ｎトラックの所定セクタから記録データの書き込みが行われる。なお、時刻ｔ4〜時刻ｔ5までの時間は、同様にフロッピーディスクドライブ３２が動作するまでの立上がり時間である。
【０１２１】
このデジタルカメラ装置１は、図２３に示すように、フラッシュメモリー２９を有する構成としてもよい。図２３における実施の形態では、ＤＲＡＭ２４，ＤＲＡＭコントローラ２５，マイコン２８，フラッシュメモリー２９，及びＦＤＣ３１が相互に共通のバスによって接続されている。このような構成とすることにより、デジタルカメラ装置１においては、例えばデジタルカメラ装置１の機能をバージョンアップさせるために、このフラッシュメモリー２９に当該バージョンアップ用のプログラムを格納することが可能となる。具体的には、上記ＪＰＥＧ以外の方式で画像データを圧縮するプログラムが記録されているカートリッジ８をフロッピーディスクドライブ３２に装填し、このカートリッジ内の磁気ディスク９から当該プログラムをフラッシュメモリー２９に読み込ませることにより、機能の拡張を図ることができる。
【０１２２】
すなわち、デジタルカメラ装置１においては、各ブロックの制御をマイコン２８のＲＡＭ２８ａ内に格納されたソフトウェアプログラムにより行っているため、フラッシュメモリー２９に種々のバージョンアップ用のソフトウェアプログラムを格納させ、このソフトウェアプログラムでマイコン２８の代わり或いはマイコン２８を補助することとすればよい。
【図面の簡単な説明】
【０１２３】
【図１】本発明を適用したデジタルカメラ装置の正面側からの外観斜視図である。
【図２】デジタルカメラ装置の背面側からの外観斜視図である。
【図３】デジタルカメラ装置の回路構成を示したブロック図である。
【図４】マイコンのアドレス空間を表した図である。
【図５】ＤＲＡＭのデータ領域を表した図である。
【図６】デジタルカメラ装置の回路構成を示したブロック図である。
【図７】デジタルカメラ装置におけるデータ記録時の制御動作について説明するためのフローチャートである。
【図８】本体画像ファイルのファイル名を表した図である。
【図９】本体画像ファイル及びサムネイル画像ファイルについてのファイル名、記録時刻、ファイルサイズ等についての情報を表した図である。
【図１０】磁気ディスクに記録された本体画像ファイル及びサムネイル画像ファイルの状態を説明するための図である。
【図１１】デジタルカメラ装置における再生時のサムネイル画像ファイルの読み出し制御を説明するためのフローチャートである。
【図１２】磁気ディスクの記録状態についての履歴を表した図である。
【図１３】サムネイル管理テーブルを表した図である。
【図１４】磁気ディスクからサムネイル画像ファイルがＤＲＡＭ上の所定領域に格納された状態を表した図である。
【図１５】ＬＣＤパネル上にサムネイル等が表示された状態を表した図である。
【図１６】デジタルカメラ装置の機械的な構成を説明するための分解斜視図である。
【図１７】加速度センサーの回路基板上の取り付け角度を表した図である。
【図１８】シャーシに対する回路基板及びフロッピーディスクドライブの取り付け状態をカートリッジ挿入開口部側から表した図である。
【図１９】加速度センサーの構成を説明するための透視図である。
【図２０】衝撃が加わった場合における加速度センサーの動作を説明するための図である。
【図２１】フロッピーディスクドライブの筐体内部に配設される磁気ヘッドについての機構を表した図である。
【図２２】衝撃発生時における加速度センサー，フリップフロップ，ＯＲ回路，マイコン，フロッピーディスクドライブ等の動作及び記録されるデータの処理について説明するためのタイミングチャートである。
【図２３】デジタルカメラ装置における他の実施の形態を表したブロック回路図である。
【符号の説明】
【０１２４】
１ デジタルカメラ装置、２ 筐体、８ カートリッジ、９ 磁気ディスク、１１ ＬＣＤパネル、２４ ＤＲＡＭ、２５ ＤＲＡＭコントローラ、２８ マイコン、２９ フラッシュメモリー、３１ フロッピーディスクコントローラ、３２ フロッピーディスクドライブ、３３ 加速度センサー、３４ 増幅回路、３５ フリップフロップ、３６ ＯＲ回路、４１ 回路基板、４２ シャーシ、４５〜４８ 緩衝部材、６１筐体、６２ 衝撃検出板、７０ ヘッドアクチュエーター、７３ ヘッドアーム、７４ 磁気ヘッド
【図１】
2006345544.tif 000003
【図２】
2006345544.tif 000004
【図３】
2006345544.tif 000005
【図４】
2006345544.tif 000006
【図５】
2006345544.tif 000007
【図６】
2006345544.tif 000008
【図７】
2006345544.tif 000009
【図８】
2006345544.tif 000010
【図９】
2006345544.tif 000011
【図１０】
2006345544.tif 000012
【図１１】
2006345544.tif 000013
【図１２】
2006345544.tif 000014
【図１３】
2006345544.tif 000015
【図１４】
2006345544.tif 000016
【図１５】
2006345544.tif 000017
【図１６】
2006345544.tif 000018
【図１７】
2006345544.tif 000019
【図１８】
2006345544.tif 000020
【図１９】
2006345544.tif 000021
【図２０】
2006345544.tif 000022
【図２１】
2006345544.tif 000023
【図２２】
2006345544.tif 000024
【図２３】
2006345544.tif 000025